(57)【特許請求の範囲】
【請求項１】
暗証番号を可変設定する設定手段と、
この設定手段で設定した暗証番号を特定者に知らせる通知手段と、
入力される暗証番号と前記設定手段で設定した暗証番号との照合により人物を認証する認証手段と、
を具備し、前記通知手段は、携帯電話器からの発信に応答して同携帯電話器の電話番号と予め登録されている電話番号とを照合し、この照合結果が合致の場合に発信者を特定者と判定して暗証番号を携帯電話器に通知し、不合致の場合は発信者を非特定者と判定して拒否の旨を携帯電話器に通知することを特徴とするセキュリティシステム。
【請求項２】
暗証番号を可変設定する設定手段と、
この設定手段で設定した暗証番号を特定者からの要求に応じて同特定者に知らせる通知手段と、
入力される暗証番号と前記設定手段で設定した暗証番号との照合により人物を認証する認証手段と、
を具備し、前記通知手段は、携帯電話器からの発信に応答して同携帯電話器の電話番号と予め登録されている電話番号とを照合し、この照合結果が合致の場合に発信者を特定者と判定して暗証番号を携帯電話器に通知し、不合致の場合は発信者を非特定者と判定して拒否の旨を携帯電話器に通知することを特徴とするセキュリティシステム。
【発明の詳細な説明】
【０００１】
【発明の属する技術分野】
この発明は、例えばゲートの通行を管理するセキュリティシステムに関する。
【０００２】
【従来の技術】
ゲートの通行（建物への出入り）や機器の使用などを管理するセキュリティシステムでは、人物（個人、グループなど）を認証する手段として、暗証番号が多く用いられる。
【０００３】
例えば、暗証番号式錠の場合、錠の設置場所において入力される暗証番号と予め機械的または電気的に登録されている暗証番号とが照合され、照合結果が合致の場合は人物が許可者であるとの認証がなされ、解錠（または施錠）が行なわれる。照合結果が不合致の場合は人物が非許可者であるとの認証がなされ、解錠（または施錠）が拒否される。
【０００４】
【発明が解決しようとする課題】
暗証番号が外部に漏洩した場合、第三者によって不正な解錠がなされる心配がある。
多数の暗証番号式錠が設置されている場合には、多数の暗証番号を記憶することが難しいことから、暗証番号簿を作成してそれを錠の設置場所に持参することが行なわれるが、仮に暗証番号簿が紛失すると暗証番号の漏洩となり、セキュリティ上大きな問題になる。
【０００５】
漏洩でなくても、暗証番号を一旦知った者は、退職などでゲート通行の権利が無くなっても解錠ができてしまう。
この発明は上記の事情を考慮したもので、その目的とするところは、暗証番号の漏洩や退職者などによる例えば不正な通行を未然に防止して安全性および信頼性の向上が図れるセキュリティシステムを提供することにある。
【０００６】
【課題を解決するための手段】
第１の発明のセキュリティシステムは、暗証番号を可変設定する設定手段と、この設定手段で設定した暗証番号を特定者に知らせる通知手段と、入力される暗証番号と上記設定手段で設定した暗証番号との照合により人物を認証する認証手段とを備える。そして、通知手段が、携帯電話器からの発信に応答して同携帯電話器の電話番号と予め登録されている電話番号とを照合し、この照合結果が合致の場合に発信者を特定者と判定して暗証番号を携帯電話器に通知し、不合致の場合は発信者を非特定者と判定して拒否の旨を携帯電話器に通知する。
【０００７】
第２の発明のセキュリティシステムは、暗証番号を可変設定する設定手段と、この設定手段で設定した暗証番号を特定者からの要求に応じて同特定者に知らせる通知手段と、入力される暗証番号と上記設定手段で設定した暗証番号との照合により人物を認証する認証手段とを備える。そして、通知手段が、携帯電話器からの発信に応答して同携帯電話器の電話番号と予め登録されている電話番号とを照合し、この照合結果が合致の場合に発信者を特定者と判定して暗証番号を携帯電話器に通知し、不合致の場合は発信者を非特定者と判定して拒否の旨を携帯電話器に通知する。
【００１０】
【発明の実施の形態】
以下、この発明の一実施例について図面を参照して説明する。
図１に示すように、例えばゲートの通行（建物への出入り）を管理する手段として、セキュリティ装置１が設置される。
【００１１】
セキュリティ装置１は、センター装置２を備え、そのセンター装置２に無線電話回線用の接続設備３およびゲート装置４を接続し、さらにゲート装置４に操作手段であるところのテンキー５および報知手段であるところのアラーム発生器６を接続してなる。
【００１２】
センター装置２には固有の電話番号が定められており、その電話番号に基づいて、接続設備３と外部の携帯電話器１０との間の無線電話回線の接続／切断が行なわれる。
【００１３】
携帯電話器１０は、無線電話回線を使用する携帯可能な電話器であって、ＰＨＳと称する簡易型携帯電話器も含んでいる。また、携帯電話器１０には固有の電話番号が定められており、この電話番号は複製に関して高度なセキュリティで守られている。
【００１４】
また、センター装置２は、許可データメモリ２ａ、乱数発生器２ｂ、暗証番号メモリ２ｃを備えるとともに、主要な機能手段として次の［１］〜［３］を備える。
【００１５】
［１］暗証番号を可変設定する設定手段。具体的には、任意の時間に、または係員の操作など必要に応じて、乱数発生器２ｂから乱数を発生させ、その乱数を用いて暗証番号を設定する。
【００１６】
［２］設定手段で設定される暗証番号を暗証番号メモリ２ｃに更新記憶する記憶手段。
［３］暗証番号メモリ２ｃ内の暗証番号を特定者からの要求に応じて同特定者に知らせる通知手段。具体的には、携帯電話器１０からの発信に応答して同携帯電話器１０の電話番号と許可データメモリ２ａ内の許可データ（登録電話番号）とを照合し、この照合結果が合致の場合に発信者を特定者と判定して暗証番号を通知し、不合致の場合は発信者を非特定者と判定して拒否の旨を携帯電話器に通知する。許可データメモリ２ａ内の許可データである登録電話番号は、当該セキュリティについての特定者（登録者）が所持する携帯電話器１０の電話番号であり、係員の操作によって予め入力される。
【００１７】
ゲート装置４は、主要な機能手段として次の［４］［５］を備える。
［４］テンキー５の操作によって暗証番号が入力されると、センター装置２における暗証番号メモリ２ｃから暗証番号を取込み、それと上記入力された暗証番号との照合により人物を認証する認証手段。具体的には、入力暗証番号と暗証番号メモリ２ｃ内の暗証番号とを照合し、この照合結果が合致の場合にテンキー操作者を許可者として認証し、不合致の場合はテンキー操作者を非許可者として認証する。
【００１８】
［５］認証手段が許可者を認証した場合にゲート開放信号を送出し、非許可者を認証した場合にアラーム発生器６からアラーム音を発生する制御手段。ゲート開放信号は、建物の出入口などに設けられている錠を解錠させる。
【００１９】
つぎに、上記の構成の作用を図２のフローチャートを参照して説明する。
暗証番号に関する変更トリガが発生したとき（ステップ１０１  のＹＥＳ  ）、例えばタイマー計時に基づく所定の時間になったとき、あるいは係員によって暗証番号の変更操作がなされたとき、乱数発生器２ｂから乱数が発せられ、その乱数から新規の暗証番号が設定される（ステップ１０２  ）。設定された新規の暗証番号は暗証番号メモリ２ｃに更新記憶される（ステップ１０３  ）。
【００２０】
現在の新しい暗証番号を知りたい者は、自身が所持する携帯電話器１０にセンター装置２の電話番号を入力し、発信を行なう。この発信は暗証番号通知要求として接続設備３に送られる。
【００２１】
接続設備３は、暗証番号通知要求の着信に応答し（ステップ１０４  のＹＥＳ  ）、携帯電話器１０との無線電話回線の接続を行なう（ステップ１０５  ）。
無線電話回線が接続されると、電話会社の発番号通知サービスにより、発信者の電話番号がセンター装置２に通知される。そして、通知された発信者電話番号と許可データメモリ２ａ内の許可データつまり登録電話番号とが照合される（ステップ１０６  ）。
【００２２】
発信者電話番号が登録電話番号のいずれかに合致すると（ステップ１０７  のＹＥＳ  ）、発信者は特定者（登録者）であるとの判定の下に、暗証番号メモリ２ｃ内の暗証番号が携帯電話器１０に通知される（ステップ１０８  ）。そして、無線電話回線が切断される（ステップ１０９  ）。
【００２３】
ただし、図３に示すように、発信者が非特定者（非登録者）であれば、発信者電話番号は登録電話番号のいずれにも合致しない（ステップ１０７  のＮＯ）。この場合、発信者は非特定者（非登録者）であるとの判定の下に、拒否の旨が携帯電話器１０に通知される（ステップ１１０  ）。そして、無線電話回線が切断される（ステップ１０９  ）。
【００２４】
なお、発信者電話番号と登録電話番号との照合に際し、さらに、発信者固有のＩＤ番号（たとえば暗証番号）を携帯電話器１０から入力させ、それと予め登録されたＩＤ番号との合致を特定者（登録者）判定の条件に加えるようにすれば、セキュリティ度が高まり、仮に携帯電話器１０が紛失した場合でもその悪用を防ぐことができる。
【００２５】
一方、建物の中に入りたい者は、ゲート装置４の設置場所に行き、テンキー５を操作して暗証番号を入力する。
暗証番号が入力されると（ステップ１１１  ）、暗証番号メモリ２ｃからゲート装置４に現在の新しい暗証番号が取込まれ（ステップ１１２  ）、それと上記入力された暗証番号とが照合される（ステップ１１３  ）。
【００２６】
照合結果が合致の場合（ステップ１１４  のＹＥＳ  ）、テンキー操作者は許可者であるとの認証の下に、ゲート開放信号が送出される（ステップ１１５  ）。ゲート開放信号が送出されると、建物の出入口などの錠が解錠され、テンキー操作者が建物内に入ることができる。
【００２７】
ただし、照合結果が不合致の場合は（ステップ１１４  のＮＯ）、テンキー操作者は非許可者との認証の下に、アラーム発生器６からアラーム音が発せられる（ステップ１１６  ）。このアラーム音は、建物内に入ろうとしている者が不審者であることの報知となる。
【００２８】
このように、任意の時間にまたは必要に応じて暗証番号を変更設定し、それを特定者からの要求に応じて同特定者に知らせ、暗証番号の入力に際しては入力暗証番号と上記変更設定した新規の暗証番号との照合から人物を認証することにより、暗証番号（古い暗証番号）が外部に漏洩した場合でも、第三者による不正な解錠および通行を回避することができ、安全性および信頼性の向上が図れる。
【００２９】
多数の暗証番号式錠が設置されている場合には、多数の暗証番号を記憶することが難しいことから、暗証番号簿を作成してそれを錠の設置場所に持参することが行なわれるが、仮に暗証番号簿が紛失して暗証番号が漏洩した場合でも、第三者による不正な解錠および通行を回避することができる。
【００３０】
退職などによりゲート通行の権利が無くなった者が不正に解錠をしようとしても、その者が知っている暗証番号は現時点では通用しない古い暗証番号となることから、不正な解錠および通行を未然に防ぐことができる。
【００３１】
しかも、携帯電話器１０からの発信に応答して同携帯電話器１０の電話番号と登録電話番号とを照合し、この照合から特定者を判定し、特定者のみに新しい暗証番号を通知するようにしているので、この点でも高い安全性と信頼性を確保することができる。
【００３２】
なお、上記実施例において、センター装置２およびゲート装置４は、同一建物内に設置されても、同一建物内に設置されなくても、いずれでもよい。同一建物内に設置されない場合は、センター装置２とゲート装置４とが遠隔制御用の電話回線により接続される。
【００３３】
また、上記実施例では、１つのセンター装置２に１つのゲート装置４を接続したが、１つのセンター装置２に複数のゲート装置４を接続し、これらゲート装置４のうちの１つを制御対象として登録者とセンター装置２との間の音声応答処理等により選択する構成としてもよい。
【００３４】
さらに、上記実施例では、暗証番号を知るための手段として携帯電話器を用いる場合を例に説明したが、携帯電話器に限らず、据付型のディジタル電話器等の発信者番号通知が可能な電話器を用いる場合にも同様に実施可能である。
その他、この発明は上記各実施例に限定されるものではなく、要旨を変えない範囲で種々変形実施可能である。
【００３５】
【発明の効果】
以上述べたようにこの発明によれば、暗証番号の漏洩や退職者などによる例えば不正な通行を未然に防止して安全性および信頼性の向上が図れるセキュリティシステムを提供できる。
【図面の簡単な説明】
【図１】一実施例の構成を発信者が特定者である場合の作用を含めて示すブロック図。
【図２】同実施例の制御を説明するためのフローチャート。
【図３】同実施例において発信者が非特定者である場合の作用を示すブロック図。
【符号の説明】
１…セキュリティ装置
２…センター装置
２ａ…許可データメモリ
２ｂ…乱数発生器
２ｃ…暗証番号メモリ
３…接続設備
４…ゲート装置
５…テンキー（操作手段）
６…アラーム発生器（報知手段）
１０…携帯電話器
【図１】
0003554156.tif 000002
【図２】
0003554156.tif 000003
【図３】
0003554156.tif 000004